(57)【要約】【課題】ユーザが遠隔地にいながら、商品を実際に眺めた場合に近い臨場感が得られるオンラインショッピングシステムを提供する。【解決手段】本発明のオンラインショッピングシステム１において、展示装置１０は、商品を載置した状態で３６０度回転する台座部３と、台座部３の中心軸を支持する基台部９と、商品をリアルタイムで撮像するカメラ５と、ユーザ端末３０との通信を可能にするとともに、カメラ５で撮像された映像をサーバ装置にアップロードする通信部１５と、カメラ５が取り付けられて、基台部９に設けられた軸を中心に回動するアーム７と、台座部３及びアーム７を駆動させる駆動部１３ａ，１３ｂと、カメラ５及び駆動部１３ａ，１３ｂを制御する制御部１１を備えている。ユーザは、ユーザ端末３０の操作によって、台座部３及びアーム７を作動させて、カメラ５の視点を変更することができる。【選択図】図１
2019087911.tif 000002
【特許請求の範囲】
【請求項１】
ユーザがインターネット回線を利用して、サーバ装置を介し、ユーザ端末の表示画面を見ながら展示装置に展示された商品を購入するオンラインショッピングシステムにおいて、
前記展示装置は、
前記商品を載置した状態で３６０度回転する台座部と、
前記台座部の下面側に設けられて、該台座部の中心軸を支持する基台部と、
前記商品をリアルタイムで撮像する撮像部と、
前記ユーザ端末との通信を可能にするとともに、前記撮像部で撮像された映像を前記サーバ装置にアップロードする通信部と、
前記撮像部が取り付けられて、前記基台部に設けられた軸を中心に回動する可動枠部と、
前記台座部及び前記可動枠部を駆動させる駆動部と、
前記撮像部及び前記駆動部を制御する制御部と
を備え、
ユーザの前記ユーザ端末の操作によって、前記制御部を介して前記台座部及び前記可動枠部を作動させて、前記撮像部の視点を変更可能にしたことを特徴とするオンラインショッピングシステム。
【請求項２】
前記制御部は、前記撮像部の視点が前記商品の真上位置から水平位置まで移動するように前記可動枠部を回動させることを特徴とする請求項１に記載のオンラインショッピングシステム。
【請求項３】
前記可動枠部は、円弧状又はコの字型を含む枠体であり、
前記可動枠部が最も起立した状態において、前記撮像部が前記枠体の上部中央に取り付けられていることを特徴とする請求項１又は２に記載のオンラインショッピングシステム。
【請求項４】
前記可動枠部は、最も起立した状態から最大９０度、一方向に回動することを特徴とする請求項３に記載のオンラインショッピングシステム。
【請求項５】
前記撮像部は、撮像時にズームイン及びズームアウトが可能であることを特徴とする請求項１〜４の何れか１項に記載のオンラインショッピングシステム。
【請求項６】
前記商品を照明する照明部をさらに備え、
前記制御部は、前記照明部の点灯、消灯及び光量を制御することを特徴とする請求項１〜５の何れか１項に記載のオンラインショッピングシステム。
【請求項７】
ユーザがインターネット回線を利用して、サーバ装置を介し、ユーザ端末の表示画面を見ながら展示装置に展示された商品を購入するオンラインショッピングシステムにおいて、
前記展示装置は、
前記商品を載置した状態で３６０度回転する台座部と、
前記台座部の下面側に設けられて、該台座部の中心軸を支持する基台部と、
固定位置から前記商品をリアルタイムで撮像する撮像部と、
前記ユーザ端末との通信を可能にするとともに、前記撮像部で撮像された映像を前記サーバ装置にアップロードする通信部と、
前記台座部を駆動させる駆動部と、
前記撮像部及び前記駆動部を制御する制御部と
を備え、
ユーザの前記ユーザ端末の操作によって、前記制御部を介して前記台座部を作動させて、前記撮像部が撮像する前記映像を変更可能にしたことを特徴とするオンラインショッピングシステム。
【請求項８】
ユーザがインターネット回線を利用して、サーバ装置を介し、ユーザ端末の表示画面を見ながら展示装置に展示された商品を購入するオンラインショッピングシステムにおいて、
前記展示装置は、
前記商品をリアルタイムで撮像する撮像部と、
前記ユーザ端末との通信を可能にするとともに、前記撮像部で撮像された映像を前記サーバ装置にアップロードする通信部と、
前記撮像部が取り付けられて、軸棒を中心に回動する可動枠部と、
前記可動枠部を駆動させる駆動部と、
前記駆動部を制御する制御部と
を備え、
ユーザの前記ユーザ端末の操作によって、前記制御部を介して前記可動枠部を作動させて、前記撮像部の視点を変更可能にしたことを特徴とするオンラインショッピングシステム。
【発明の詳細な説明】
【技術分野】
【０００１】
本発明は、ユーザがインターネット回線を利用して、商品を購入することができるオンラインショッピングシステムに関する。
【背景技術】
【０００２】
現在、オンラインショップで商品を購入する際には、商品を様々な角度から確認できるように、例えば、上下左右の方向から撮影された写真が予め準備され、ユーザの選択により表示できるようになっている。また、商品を回転させて表示する機能を備えたオンラインショップも存在する。
【０００３】
例えば、下記の特許文献１のシステムにおいては、対象物の集合画像が１６個の画像により構成されている。デジタルカメラから同じ焦点距離を保って、２２．５度毎に対象物を撮影して１６個の画像を取得することにより、ユーザは、対象物の仮想画像を３６０度回転させて眺めることができる（段落００３２，００３３、図２，３）。
【先行技術文献】
【特許文献】
【０００４】
【特許文献１】特表２００７−５２９７９４号公報
【発明の概要】
【発明が解決しようとする課題】
【０００５】
しかしながら、特許文献１のシステムでは、ユーザが視認できる対象物はホームページ上の写真であり、実際に対象物を眺めた場合の色彩や光沢感まで感じ取ることはできない。特に、宝飾品や陶器は、見る角度や距離に応じて色彩や光沢が微妙に変化するものであるから、単に写真の解像度を高くすれば解決する問題とはいえない。
【０００６】
本発明は、このような事情に鑑みてなされたものであり、ユーザが遠隔地にいながら、商品に対して実際に眺めた場合に近い臨場感を得ることができるオンラインショッピングシステムを提供することを目的とする。
【課題を解決するための手段】
【０００７】
第１発明は、ユーザがインターネット回線を利用して、サーバ装置を介し、ユーザ端末の表示画面を見ながら展示装置に展示された商品を購入するオンラインショッピングシステムにおいて、前記展示装置は、前記商品を載置した状態で３６０度回転する台座部と、前記台座部の下面側に設けられて、該台座部の中心軸を支持する基台部と、前記商品をリアルタイムで撮像する撮像部と、前記ユーザ端末との通信を可能にするとともに、前記撮像部で撮像された映像を前記サーバ装置にアップロードする通信部と、前記撮像部が取り付けられて、前記基台部に設けられた軸を中心に回動する可動枠部と、前記台座部及び前記可動枠部を駆動させる駆動部と、前記撮像部及び前記駆動部を制御する制御部とを備え、ユーザの前記ユーザ端末の操作によって、前記制御部を介して前記台座部及び前記可動枠部を作動させて、前記撮像部の視点を変更可能にしたことを特徴とする。
【０００８】
本発明のオンラインショッピングシステムにおいて、ユーザは、インターネットに接続したユーザ端末を用いて展示装置に展示された商品を購入することができる。展示装置は、台座部と可動枠部との駆動部を備え、ユーザがユーザ端末を操作して、制御部を介して台座部及び可動枠部を作動させることができる。台座部は、その中心軸が基台部に支持されており、商品を載置した状態で３６０度回転する。また、可動枠部は軸周りに回動することで、可動枠部に取り付けられた撮像部の視点を変更させることができる。
【０００９】
また、撮像部により撮像された映像は、通信部によりサーバ装置にアップロードされるので、ユーザは、様々な角度から見た商品の映像をユーザ端末により閲覧することができる。これにより、ユーザは遠隔地にいながら、その商品に対して実際に眺めた場合に近い臨場感を得ることができる。
【００１０】
第１発明のオンラインショッピングシステムにおいて、前記制御部は、前記撮像部の視点が前記商品の真上位置から水平位置まで移動するように前記可動枠部を回動させることが好ましい。
【００１１】
この構成によれば、ユーザは、台座部上の商品をあらゆる角度から眺めた映像をユーザ端末により閲覧することができるので、その商品特有の色彩や光沢感を確認することができる。
【００１２】
また、第１発明のオンラインショッピングシステムにおいて、前記可動枠部は、円弧状又はコの字型の枠体であり、前記可動枠部が最も起立した状態において、前記撮像部が前記枠体の上部中央に取り付けられていることが好ましい。
【００１３】
可動枠部は円弧状又はコの字型の枠体であり、その端部（両端部）は基台部の軸に取り付けられている。例えば、可動枠部が半円型の枠体である場合、撮像部は、可動枠部が最も起立した状態の上部中央である頂点位置に取り付けられる。これにより、撮像部は、可動枠部を回動させて商品を様々な角度から撮像することができる。
【００１４】
また、第１発明のオンラインショッピングシステムにおいて、前記可動枠部は、最も起立した状態から最大９０度、一方向に回動することが好ましい。
【００１５】
本発明では、可動枠部を最も起立した状態から最大９０度、一方向に回動することで、撮像部が商品の上面から側面までを正確に撮像することができる。例えば、台座部と基台部との間に隙間があるような場合には、可動枠部を最も起立した状態から７０度程度まで回動させることにより、撮像部が商品の側面を撮像することができる。
【００１６】
また、第１発明のオンラインショッピングシステムにおいて、前記撮像部は、撮像時にズームイン及びズームアウトが可能であることが好ましい。
【００１７】
この構成によれば、ユーザは、商品をズームインしてより詳細部分の模様等を確認したり、ズームアウトして商品全体のデザイン等を確認したりすることができる。
【００１８】
また、第１発明のオンラインショッピングシステムにおいて、前記商品を照明する照明部をさらに備え、前記制御部は、前記照明部の点灯、消灯及び光量を制御することが好ましい。
【００１９】
この構成によれば、制御部は、照明部の点灯、消灯及び光量を制御することができるので、ユーザが商品を閲覧する際の臨場感をより高めることができる。
【００２０】
第２発明は、ユーザがインターネット回線を利用して、サーバ装置を介し、ユーザ端末の表示画面を見ながら展示装置に展示された商品を購入するオンラインショッピングシステムにおいて、前記展示装置は、前記商品を載置した状態で３６０度回転する台座部と、前記台座部の下面側に設けられて、該台座部の中心軸を支持する基台部と、固定位置から前記商品をリアルタイムで撮像する撮像部と、前記ユーザ端末との通信を可能にするとともに、前記撮像部で撮像された映像を前記サーバ装置にアップロードする通信部と、前記台座部を駆動させる駆動部と、前記撮像部及び前記駆動部を制御する制御部とを備え、ユーザの前記ユーザ端末の操作によって、前記制御部を介して前記台座部を作動させて、前記撮像部が撮像する前記映像を変更可能にしたことを特徴とする。
【００２１】
本発明のオンラインショッピングシステムにおいて、ユーザは、インターネットに接続したユーザ端末を用いて展示装置に展示された商品を購入することができる。展示装置は、台座部の駆動部を備え、ユーザがユーザ端末を操作して、制御部を介して台座部を作動させることができる。台座部は、その中心軸が基台部に支持されており、商品を載置した状態で３６０度回転する。
【００２２】
また、撮像部は、固定位置から商品を撮像し、撮像された映像は、通信部によりサーバ装置にアップロードされるので、ユーザは、台座部を回転させて様々な角度から見た商品の映像をユーザ端末により閲覧することができる。これにより、ユーザは遠隔地にいながら、その商品に対して実際に眺めた場合に近い臨場感を得ることができる。
【００２３】
第３発明は、ユーザがインターネット回線を利用して、サーバ装置を介し、ユーザ端末の表示画面を見ながら展示装置に展示された商品を購入するオンラインショッピングシステムにおいて、前記展示装置は、前記商品をリアルタイムで撮像する撮像部と、前記ユーザ端末との通信を可能にするとともに、前記撮像部で撮像された映像を前記サーバ装置にアップロードする通信部と、前記撮像部が取り付けられて、軸棒を中心に回動する可動枠部と、前記可動枠部を駆動させる駆動部と、前記駆動部を制御する制御部とを備え、ユーザの前記ユーザ端末の操作によって、前記制御部を介して前記可動枠部を作動させて、前記撮像部の視点を変更可能にしたことを特徴とする。
【００２４】
本発明のオンラインショッピングシステムにおいて、ユーザは、インターネットに接続したユーザ端末を用いて展示装置に展示された商品を購入することができる。展示装置は、撮像部が取り付けられた可動枠部を駆動させる駆動部を備え、ユーザがユーザ端末を操作して、制御部を介して駆動部を作動させることができる。可動枠部は、軸棒の周りに回動するので、撮像部の視点を変更させることができる。
【００２５】
また、撮像部により撮像された映像は、通信部によりサーバ装置にアップロードされるので、ユーザは、可動枠部を回転させて様々な角度から見た商品の映像をユーザ端末により閲覧することができる。これにより、ユーザは遠隔地にいながら、その商品に対して実際に眺めた場合に近い臨場感を得ることができる。
【図面の簡単な説明】
【００２６】
【図１】本発明の実施形態のオンラインショッピングシステムの全体構成を示す図。
【図２】展示装置の詳細を説明するブロック図。
【図３Ａ】展示装置のアームの直立状態を示す図。
【図３Ｂ】展示装置のアームの初期状態を示す図。
【図３Ｃ】展示装置のアームの略水平状態を示す図。
【図４】ユーザ端末で実行される商品購入時の表示処理のフローチャート。
【図５Ａ】（ａ）ユーザ端末の商品検索画面の例。（ｂ）ユーザ端末の第１商品画面の例。（ｃ）ユーザ端末の第２商品画面の例。
【図５Ｂ】（ａ）ユーザ端末の第２商品画面（台座回転）の例。（ｂ）ユーザ端末の第２商品画面（視点ＵＰ）の例。（ｃ）ユーザ端末の第２商品画面（ズーム）の例。
【図６Ａ】展示装置の変更例１を説明する図。
【図６Ｂ】展示装置の変更例１を説明する図（回転後）。
【図７】展示装置の変更例２を説明する図。
【図８】展示装置の変更例３を説明する図。
【発明を実施するための形態】
【００２７】
以下では、本発明の実施形態について、図面を参照しつつ説明する。
【００２８】
＜第１実施形態＞
図１は、本実施形態のオンラインショッピングシステム１の概略図を示している。オンラインショッピングシステム１は、主に、展示装置１０Ａ、１０Ｂ（以下、これらを総称して展示装置１０という）と、専用サーバ２０と、ユーザ端末３０Ａ，３０Ｂ（以下、これらを総称してユーザ端末３０という）と、店舗端末４０とで構成されている。
【００２９】
展示装置１０Ａ、１０Ｂからなる展示装置１０は、店舗端末４０に接続されている。ここでは、説明の便宜上、２つの展示装置を示したが、このような展示装置は商品の数だけ存在する。
【００３０】
展示装置１０は、主に、商品を載置する台座部３と、商品を撮像するカメラ５（本発明の「撮像部」）と、カメラ５が取り付けられたアーム７（本発明の「可動枠部」）と、アーム７を支持する基台部９等で構成されている。詳細は後述するが、台座部３は駆動部１３ａ（図２参照）によって水平回動し、アーム７は駆動部１３ｂによって上下回動する。オンラインショッピングシステム１で販売される商品は台座部３の中央に載置され、ユーザは、ユーザ端末３０によりカメラ５で撮像されたリアルタイムの商品映像を確認することができる。
【００３１】
専用サーバ２０（本発明の「サーバ装置」）と、個々のユーザ端末３０Ａ，３０Ｂとは、ネットワークＮＷ、例えば、ＴＣＰ／ＩＰ等の通信プロトコルにより相互にデータの送受信が可能となっている。専用サーバ２０は、システムバスを介して大容量記憶装置と、システム制御部と、データ通信部とが協働している装置である。大容量記憶装置は、例えば、ハードディスク装置、ＳＳＤ（Solid State Drive）等により構成されており、オペレーティングシステムやサーバ用のソフトウェア等の各種プログラムを記憶している。
【００３２】
専用サーバ２０は、展示装置１０のカメラ５で撮像された映像をユーザ用にアップロードするためのサーバである。また、専用サーバ２０は、インターネット回線を介して、商品を閲覧するユーザのユーザ端末３０へ、加工画像を配信する。
【００３３】
オンラインショッピングシステム１では、ユーザ端末３０からインターネット回線を利用して、総合ショッピングサイトや各店舗のオンラインショップのサイトに進み、ユーザが商品を購入することができる。また、このオンラインショッピングシステム１には、ユーザがユーザ端末３０を操作して、展示装置１０の商品の視点を変更する機能を有する。
【００３４】
例えば、展示装置１０の台座部３を操作するためのコントローラは、ウェブコンテンツとしてユーザ端末３０へ提供されている。展示装置１０は、ユーザ端末３０からの操作指示信号を受けて、台座部３を３６０度回転させることができる。
【００３５】
ユーザ端末３０は、インターネットに接続可能なパソコン、スマートフォン、タブレット端末等からなり、理論上、無数存在する。ユーザは、ウェブコンテンツとして提供されたコントローラをユーザ端末３０のディスプレイ３０’に表示させ（図５Ａ、図５Ｂ参照）、展示装置１０から送信された映像信号も受信して、各種商品を閲覧することができる。
【００３６】
図２は、展示装置１０の詳細を説明するためのブロック図である。
【００３７】
展示装置１０には、カメラ５と、照明部１２と、駆動部１３ａ，１３ｂと、通信部１５と、位置検出部１６とが含まれる。まず、制御部１１は、ＣＰＵ、ＲＯＭ、ＲＡＭ、Ｉ／Ｏ及びこれらを接続するバスライン等からなるマイクロコンピュータを中心に構成され、ＲＯＭに記憶されたプログラム等に従い展示装置１０を統括制御する。
【００３８】
カメラ５は、展示装置１０に展示された商品を撮像することができるウェブカメラであり、店舗端末４０にＵＳＢ等のインターフェースで接続され、リアルタイムで映像を転送することができる。また、カメラ５は、商品の静止画を撮像したり、視点のズームイン、ズームアウトを行うこともできる。
【００３９】
照明部１２は、展示装置１０に展示された商品を照明するＬＥＤ等の発光体であり、発光体のオン、オフはもちろん、光量の調整も行える。照明部１２も、店舗端末４０にＵＳＢ等のインターフェースで接続されている。照明部１２は、ショーケース内の商品の展示を妨げない位置に配置されていてもよいし（図１参照）、発光体がアーム７の商品側に取り付けられていてもよい。
【００４０】
駆動部１３ａは台座部３を回転させるため、台座部３の回転軸を駆動するモータであり、正回転又は逆回転により３６０度回転する。また、駆動部１３ｂはアーム７の回転軸を駆動するモータであり、正回転又は逆回転により台座部３に垂直な軸に対して水平位置から垂直位置まで最大９０度回動する。なお、台座部３の回転軸とアーム７の回転軸とは、それぞれ基台部９に支持されている。
【００４１】
通信部１５は、ユーザ端末３０からの各種操作信号を受信し、制御部１１に送信する。これにより、ユーザは、ユーザ端末３０のディスプレイ３０’を見ながらカメラ５、台座部３（駆動部１３ａ）、アーム７（駆動部１３ｂ）、照明部１２を操作することができる。
【００４２】
位置検出部１６は、台座部３の回動角を検出するセンサと、基台部９に配設されたアーム７の回動角を検出するセンサとを有している。位置検出部１６は、例えば、アーム７が徐々に起立して直立位置となったときにオンする接触型センサによって、アーム７の可動範囲を限定することができる。
【００４３】
次に、図３Ａ〜図３Ｃを参照して、展示装置１０の動作の例について説明する。
【００４４】
図３Ａは、アーム７が台座部３に対して直立状態のときの展示装置１０を示している。ユーザが商品Ａ（腕時計）を真上から眺めたいとき、ユーザ端末３０の操作によりアーム７をこの位置に移動させる。これにより、ユーザは、商品Ａの上方視点の映像を確認することができる。
【００４５】
図３Ｂは、アーム７が台座部３に垂直な軸に対して約４５度回動したときの展示装置１０を示している。これは、ユーザが商品Ａを実際に眺める視点に近いので、アーム７の初期状態として設定されている。ユーザは、商品Ａの閲覧時にアーム７を回動させることができるが、アーム7は、閲覧が終了した時点で初期状態に戻る。
【００４６】
図３Ｃは、アーム７が台座部３に垂直な軸に対して約８０度回動したとき（略水平状態）の展示装置１０を示している。ユーザが商品Ａを横方向から眺めたいとき、ユーザ端末３０の操作によりアーム７をこの位置に移動させる。
【００４７】
アーム７は、台座部３に垂直な軸線に対して最大９０度（水平状態）まで回転させることができる。これにより、ユーザは、商品Ａの水平視点の映像を確認することができる。アーム７は、円弧状に限られず、コの字側の枠体であってもよい。また、台座部３と基台部９との間に隙間がある場合には、最大の回動角を狭めてもよい。
【００４８】
なお、ユーザは、ユーザ端末３０の操作により台座部３を３６０度回転させることができるので、アーム７は、台座部３に垂直な軸に対して０〜９０度まで回転すれば、あらゆる角度から商品Ａを眺めることができる。
【００４９】
また、ユーザは、ユーザ端末３０の操作により商品Ａのズームイン映像を閲覧することができ、台座部３やアーム７の作動と組み合わせて、商品Ａの細部を確認することができる。これにより、ユーザは、遠隔地にいながら、実際に商品Ａを手にとって眺めたときの臨場感を味わうことができる。
【００５０】
もちろん、ユーザは、ユーザ端末３０の操作により商品Ａのズームアウト映像を閲覧することもできるし、照明部１２をオンしたり光量を調整したりして、商品Ａを閲覧することができる。
【００５１】
台座部３の回転位置やズームレベルにも予め初期状態を設定しておき、ユーザによる商品Ａの閲覧が終了した時点で初期状態に戻すようにしてもよい。これにより、次に商品Ａを閲覧するユーザがすぐに商品Ａを正面側から眺めることができる。
【００５２】
次に、図４を参照して、オンラインショッピングシステム１において、ユーザ端末３０で実行される商品購入時の表示処理について説明する。なお、表示処理の各ステップの説明を補足するため、適宜、図５Ａ、図５Ｂを参照する。
【００５３】
表示処理は、専用サーバ２０から各種情報を得て、ユーザ端末３０の制御部（ＣＰＵ、ＲＡＭ、ＲＯＭ等からなる。以下、単に「制御部」という。）により実行される処理である。以下では、ユーザが、オンラインショップで商品Ａ（腕時計）を購入する場合を例に説明する。
【００５４】
まず、制御部は、ユーザ端末３０のディスプレイ３０’に商品検索画面を表示させる（ステップＳ１１）。商品検索画面では、専用サーバ２０のデータベースに格納された商品リストが表示される（図５Ａ（ａ）参照）。ユーザは、商品カテゴリをクリックすることで、購入したい商品を検索することができる。その後、ステップＳ１２に進む。
【００５５】
次に、制御部は、ユーザが商品を選択したか否かを判定する（ステップＳ１２）。ユーザが購入を検討している所定の商品を選択した場合にはステップＳ１３に進み、商品を選択していない場合には選択が行われるまでループする。
【００５６】
ユーザが商品を選択した場合、制御部は、選択された商品に対して、現在、閲覧者がいるか否かを判定する（ステップＳ１３）。現在、閲覧者がいる場合には、ユーザは、その商品の展示装置１０の台座部３等を操作することができないので、ステップＳ１４に進む。一方、閲覧者がいない場合には、ステップＳ１５に進む。
【００５７】
閲覧者がいる場合、制御部は、ディスプレイに第１商品画面を表示させる（ステップＳ１４）。ここで、図５Ａ（ｂ）に、第１商品画面の例を示す。図示するように、画面には商品Ａの画像、商品名、価格等が表示されている。また画面右上には、「閲覧中」との文字が表示されるが、商品Ａの購入自体は可能であるため、「カートに入れる」、「やめる」のボタンが表示されている。
【００５８】
第１商品画面が表示される場合には、ユーザが展示装置１０の台座部３等を操作することができないので、予め準備された商品Ａの静止画を表示する。なお、現在のカメラ５による商品Ａの映像、すなわち、他のユーザが閲覧している商品Ａの映像が見られるようにしてもよい。その後、ステップＳ１８に進む。
【００５９】
閲覧者がいない場合、制御部は、ディスプレイに第２商品画面を表示させる（ステップＳ１５）。ここで、図５Ａ（ｃ）に、第２商品画面の例を示す。図示するように、画面には商品Ａの画像、商品名、価格等が表示されている。
【００６０】
また、画面上方には、「台座回転」の文字とそのボタン、「視点位置」の文字とそのボタン、「ズーム」の文字とそのボタン、及び「ライト」の文字とそのボタンが表示されている。例えば、ユーザが商品Ａを上方から眺めたい場合には、「視点位置」の「ＵＰ」ボタンをクリックして、視点を変更することができる。
【００６１】
ディスプレイ３０’がタッチパネル方式の場合には、指でクリックすることにより、また、フリック操作やピンチ操作等のジェスチャにより、商品Ａの回転やズームが行えるようにしてもよい。その後、ステップＳ１６に進む。
【００６２】
次に、制御部は、商品の視点等変更指示が有りか否かを判定する（ステップＳ１６）。ここで、視点等変更指示には、展示装置１０の台座部３やアーム７の操作、カメラ５のズームイン、ズームアウト、照明部１２のオン、オフ等の指示が含まれる。視点等変更指示が有りの場合にはステップＳ１７に進み、視点等変更指示がない場合にはステップＳ１８に進む。
【００６３】
ステップＳ１７では、制御部は、ディスプレイに商品の視点、ズーム等変更後の画面を表示する。カメラ５による撮像は常に行われているため、ユーザは、視点の変更によるリアルタイムの映像を確認することができる。その後、ステップＳ１８に進む。
【００６４】
次に、制御部は、商品の購入が決定されたか否かを判定する（ステップＳ１８）。例えば、ユーザが商品Ａの購入を決定した場合には（ユーザが図５Ａ（ｂ）又は図５Ａ（ｃ）の「カートに入れる」のボタンを操作）、ステップＳ１９に進む。一方、購入を決定せず、中止した場合には（ユーザが図５Ａ（ｂ）又は図５Ａ（ｃ）の「やめる」のボタンを操作）、ステップＳ２０に進む。
【００６５】
ユーザが商品の購入が決定した場合、制御部は、ディスプレイに決済前画面を表示させる（ステップＳ１９）。これにより、ユーザは、購入予定商品の価格（税込み）、送料を含む最終合計金額を認識することができる。その後、ステップＳ２０に進む。
【００６６】
ステップＳ２０では、制御部は、商品の視点、ズーム等を初期化する。具体的には、展示装置１０のアーム７の回動を初期状態とし、台座部３は、カメラ５に正面側が向く位置に回転させ、ズームレベルも標準値とする。その後、ステップＳ２１に進む。
【００６７】
最後に、制御部は、ユーザが買い物を続けるか否かを判定する（ステップＳ２１）。ユーザが買い物を続ける場合には、ステップＳ１１にリターンする。一方、ユーザが買い物を続けない場合には、表示処理が終了するので、ユーザは購入手続き処理に進む。
【００６８】
＜第２実施形態＞
次に、図６Ａ、図６Ｂを参照して、上述の第１実施形態の変更例である展示装置５０について説明する。なお、オンラインショッピングシステム１の他の構成要素である専用サーバ２０、ユーザ端末３０及び店舗端末４０については同じであるため、図面上省略する。また、第１実施形態と同じ構成については同じ符号を付し、説明を省略する。
【００６９】
展示装置５０は、台座部３ａと、商品を撮像するカメラ５ａと、台座部３ａの中心軸が支持された基台部９ａ等で構成されている。台座部３ａは、駆動部１３ａ（図２参照）によって水平回動する。オンラインショッピングシステム１で販売される商品は、台座部３ａの中央に載置され、ユーザは、ユーザ端末３０により、カメラ５ａで撮像されたリアルタイムの商品映像を確認することができる。
【００７０】
展示装置５０は、主に、彫刻や石造、実物大フィギュア、マネキンを用いて展示する衣服や下着、帽子等を販売する際に用いられる。例えば、実物大フィギュアは、台座部３ａ上に直接載置される。図６Ａは、台座部３ａの中心に軸棒４、さらに上半身のマネキン６が取り付けられた例である。
【００７１】
展示装置５０は、ユーザ端末３０からの操作指示信号を受けて、台座部３ａを３６０度回転させることができる。カメラ５ａは、展示装置５０内の三脚や棚に設置、固定されている。すなわち、展示装置５０は、上述の展示装置１０とは異なり、カメラ５ａが固定され、台座部３ａのみが可動する。
【００７２】
図６Ａのマネキン６は、スポーツウェアＷを装着した状態である。そして、ユーザがユーザ端末３０から台座部３ａを回転させることで、あらゆる角度からスポーツウェアＷを閲覧することができる。例えば、ユーザは、図６Ｂに示すように、スポーツウェアＷの背面側のデザインやライン等を確認することができる。
【００７３】
マネキン６が取り付けられた軸棒４が上下方向に移動するようにしてもよい。カメラ５ａは固定されているため、商品を真上から閲覧することはできないが、斜め上方又は斜め下方から閲覧することは可能である。
【００７４】
カメラ５ａにより、商品の静止画を撮像したり、視点のズームイン、ズームアウトを行える点は、展示装置１０のカメラ５と同じである。また、照明部１２により、発光体のオン、オフ、光量の調整も行える。
【００７５】
＜第３実施形態＞
次に、図７を参照して、上述の第１実施形態のもう１つの変更例である展示装置６０について説明する。ここでも、オンラインショッピングシステム１の他の構成要素である専用サーバ２０、ユーザ端末３０及び店舗端末４０については同じであるため、図面上省略する。また、第１、第２実施形態と同じ構成については同じ符号を付し、説明を省略する。
【００７６】
展示装置６０は、少なくとも台座部３ａと、商品を撮像するカメラ５ｂと、カメラ５ｂが取り付けられたアーム７ｂと、アーム７ｂの回転軸となる軸棒４と、台座部３ａの中心軸が支持された基台部９ａ等で構成されている。オンラインショッピングシステム１で販売される商品は、例えば、絵画や写真であるが、ユーザは、ユーザ端末３０によりカメラ５ｂで撮像されたリアルタイムの商品映像を確認することができる。
【００７７】
展示装置６０は、主に、絵画やイラスト、写真等を販売する際に用いられる。図７は、額縁に入れられた絵画Ｐが設置された例である。展示装置６０は、ユーザ端末３０からの操作指示信号を受けて、台座部３ａを回転させることができ、これにより、カメラ５ｂも水平回動する。すなわち、展示装置６０は、上述の展示装置１０，５０とは異なり、商品の位置が固定され、カメラ５ｂのみが可動する。
【００７８】
軸棒４の大部分が壁に埋め込まれているような形態とすれば、絵画Ｐは、壁に掛けることができる。また、絵画Ｐを専用の台（イーゼル）に置いてもよい。なお、展示装置６０では、台座部３ａが最大１８０度回転すれば、ユーザは、絵画Ｐを水平方向のあらゆる角度から閲覧することができる。
【００７９】
また、絵画Ｐとアーム７ｂとが接触しない範囲で軸棒４が上下方向に移動するようにしてもよい。カメラ５ｂはアーム７ｂの縦軸の略中央に固定されているが、絵画Ｐの上方部又は下方部をズームインして閲覧すること等が可能である。なお、展示装置６０においては、アーム７ｂが取り付けられた軸棒４が回転する構成であればよく、必ずしも台座部３ａは必要ない。
【００８０】
図８に示す展示装置７０はさらなる変更例であり、カメラ５ｃが枠状のアーム７ｃを１８０度移動することで、ユーザは、絵画Ｐを水平方向のあらゆる角度から閲覧することができる。この場合には、軸棒４が回転する必要はないため、台座部３ａは不要となる。
【００８１】
例えば、カメラ５ｃに、小型モータにより回転するローラが取り付けられている。そして、ユーザのユーザ端末３０からの操作指示信号を受けてローラが回転することで、アーム７ｃの枠内をカメラ５ｃが移動する。カメラ５ｃに小型モータにより回転する歯車が取り付けられ、アーム７ｃは歯車と噛みあうベルトを有する構成であってもよい。
【００８２】
上述した実施形態における専用サーバ、ユーザ端末、店舗端末の態様は一例に過ぎず、用途等に応じて適宜変更することができる。展示装置についても、台座部やアームの形状は、上述の例に限られない。アームは円弧状やコの字型が一般的であるが、このような形状を含んでいればよい。
【００８３】
照明部の位置は、特に限定されるものではなく、例えば、カメラと一体に設けられていてもよい。また、台座部は、一方向に３６０度回転するようにしてもよいし、一方向に１８０度、逆方向に１８０度回転して、３６０度の視点を実現してもよい。
【００８４】
また、図４の表示処理は、国際商品取引にも適用可能である。国際商品取引の場合、消費税は還付されるが、商品によっては関税が加算される。その場合、例えば、決済前画面を表示する際に、関税額を表示するようにしてもよい。
【００８５】
国際商品取引の場合、さらに、為替レートによって商品の価格が変動する。例えば、専用サーバ２０が為替レートの情報をリアルタイムで取得することで、決済前画面を表示する際に、為替レートを考慮した価格（円）やユーザの国の貨幣で価格を表示することができる。
【符号の説明】
【００８６】
１…オンラインショッピングシステム、３，３ａ…台座部、４…軸棒、５，５ａ，５ｂ，５ｃ…カメラ、６…マネキン、７，７ｂ，７ｃ…アーム、９，９ａ…基台部、１０，１０Ａ，１０Ｂ，５０，６０，７０…展示装置、１１…制御部、１２…照明部、１３ａ，１３ｂ…駆動部、１５…通信部、１６…位置検出部、２０…専用サーバ、３０，３０Ａ，３０Ｂ…ユーザ端末、３０’…ディスプレイ、４０…店舗端末。
【図１】
2019087911.tif 000003
【図２】
2019087911.tif 000004
【図３Ａ】
2019087911.tif 000005
【図３Ｂ】
2019087911.tif 000006
【図３Ｃ】
2019087911.tif 000007
【図４】
2019087911.tif 000008
【図５Ａ】
2019087911.tif 000009
【図５Ｂ】
2019087911.tif 000010
【図６Ａ】
2019087911.tif 000011
【図６Ｂ】
2019087911.tif 000012
【図７】
2019087911.tif 000013
【図８】
2019087911.tif 000014